(57)【要約】【課題】下屋の屋根地１０１に設置する作業及び、下屋の屋根地１０１に換気口１０２を加工する作業が容易な屋根用換気部材１０を提供すること。【解決手段】屋根用換気部材１０を下屋の屋根地１０１に取り付けるとき、掛止面３２を屋根地１０１に固定されている瓦桟１１８に掛止して位置決めする。勾配のある屋根地１０１に置いても屋根用換気部材１０が滑り落ちない。そのため、施工作業がし易い。また、瓦桟１１８の軒側端面に隣接するように換気口１０２を形成しておけば、掛止面３２を瓦桟１１８に掛止したとき第２通気口３０が換気口１０２の上方に臨む。従って、屋根地１０１に換気口１０２を形成するとき、瓦桟１１８の軒側端面を基準にして形成すれば良いので、換気口１０２を屋根地１０１に開ける作業がし易い。【選択図】図１
2016125192.tif 000002
【特許請求の範囲】
【請求項１】
家屋の壁面の途中から斜め下方に延びる下屋の屋根材に形成された換気口に被せるように設置して、下屋の小屋裏空間を換気する屋根用換気部材であって、
箱型の本体を備え、
本体の上面に第１通気口を形成し、葺設したとき棟側となる本体の側面に上方に向けて開口する第２通気口を形成し、
本体内部に第１通気口と第２通気口を連通する通気通路を形成し、
本体の軒側側面に止水面を形成し、
本体の上面に第２通気口から棟側に延長する延長面を連続して形成し、
延長面の棟側端部に掛止面を形成し、
下屋の屋根材に固定した瓦桟に延長面を被せるとともに、掛止面を瓦桟に掛止したとき、瓦桟の軒側端面に隣接するように下屋の屋根材に形成した換気口が延長面で覆われ、かつ第２通気口が換気口に臨むように構成したことを特徴とする屋根用換気部材。
【請求項２】
箱型本体の止水面と底面との角部に水抜き穴を形成し、
水抜き穴の棟側の端部に内部へ突出する邪魔板を設けたことを特徴とする請求項１に記載の屋根用換気部材。
【請求項３】
水抜き穴の近辺の底面外側に突起を設けるとともに、葺設したとき棟に沿って延びるシーラーを水抜き穴より棟側寄りに設けたことを特徴とする請求項１に記載の棟用換気部材。
【請求項４】
掛止面に掛止可能な捨谷を備えたことを特徴とする請求項１に記載の屋根用換気部材。
【発明の詳細な説明】
【技術分野】
【０００１】
本発明は屋根に設置して家屋の小屋裏を換気する屋根用換気部材に関する。
【背景技術】
【０００２】
屋根用換気部材の一形式として、特開２００６−６３７２５号公報には、図８に示すように、家屋の垂直の壁面１００と、壁面１００の途中から斜め下方に延びる下屋の屋根地１０１との接合部１０２に形成された換気口１０３に被せるように設置して、下屋の小屋裏空間１０４を換気する屋根用換気部材１１０が開示されている。
【０００３】
この屋根用換気部材１１０はアッパープレート１１１とインナープレート１１２及びロアプレート１１３を備え、アッパープレート１１１とロアプレート１１３の間にスペーサー１１４を介してインナープレート１１２を組み込み、アッパープレート１１１の下端部に垂設した折り曲げ面１１１ａとロアプレート１１３の下端部に立設した折り曲げ面１１３ａの上端部で通気開口１１５を区画形成している。インナープレート１１２に設けた折り曲げ面１１２ａで換気口１０３と通気開口１１５を上下に屈曲しながら連通する通気通路Ａを形成している。また、ロアプレート１１３の上端部に立設した折り曲げ面１１３ｂの上端部に水返し１１３ｃを形成し、ロアプレート１１３の下端部に設けた折り曲げ面１１３ａの基端部に切欠穴１１３ｄを形成し、アッパープレート１１１とロアプレート１１３で区画された内部空間に通気開口１１５から侵入した雨水が換気口１０３から小屋裏１０４に浸入するのを防止するとともに、雨水を切欠穴１１３ｄから外部に排水するように構成している。この屋根用換気部材１１０は屋根地１０１に葺設した最上端段の瓦１１６に載置し、釘１１７で屋根地１０１に固定される。また、アッパープレート１１１の上端部に形成した折り曲げ面１１１ｂが垂直の壁面１００に固定され、サイディング１１８で被覆される。
【先行技術文献】
【特許文献】
【０００４】
【特許文献１】特開２００６−６３７２５号公報
【発明の概要】
【発明が解決しようとする課題】
【０００５】
上記した従来の屋根用換気部材１１０を下屋の屋根地１０１に施工する場合、屋根地１０１に勾配があるので、屋根地１０１に置いただけでは、屋根用換気部材１１０が屋根地１０１に沿って滑り落ちてしまう。そのため、施工作業をする者は、一方の手で屋根用換気部材１１０を屋根地１０１に押し付けながら、他方の手で金槌を持って釘１１７を屋根地１０１に打ち込むことになる。そのため、勾配のある屋根地１０１の上で作業する者にとって、自分自身を支えるのに両手が塞がっているため、作業がし難い。
【０００６】
また、この屋根用換気部材１１０は垂直の壁面１００と下屋の屋根地１０１の接合部１０２に形成した換気口１０３に設置するのに好適な構造を有しているので、接合部１０２に換気口１０３を形成する必要がある。換気口１０３は糸鋸を用いて屋根地１０１の一部を切除することにより形成されるが、垂直な壁面１００が邪魔になって糸鋸が使いづらく、換気口１０３の加工作業が甚だ面倒で手間がかかる。
本発明はかかる問題点に鑑み、下屋の屋根地に設置する作業及び、下屋の屋根地に換気口を加工する作業が容易な屋根用換気部材を提供することを目的とする。
【課題を解決するための手段】
【０００７】
請求項１に記載の発明は、
家屋の壁面の途中から斜め下方に延びる下屋の屋根材に形成された換気口に被せるように設置して、下屋の小屋裏空間を換気する屋根用換気部材であって、
箱型の本体を備え、
本体の上面に第１通気口を形成し、葺設したとき棟側となる本体の側面に上方に向けて開口する第２通気口を形成し、
本体内部に第１通気口と第２通気口を連通する通気通路を形成し、
本体の軒側側面に止水面を形成し、
本体の上面に第２通気口から棟側に延長する延長面を連続して形成し、
延長面の棟側端部に掛止面を形成し、
下屋の屋根材に固定した瓦桟に延長面を被せるとともに、掛止面を瓦桟に掛止したとき、瓦桟の軒側端面に隣接するように下屋の屋根材に形成した換気口が延長面で覆われ、かつ第２通気口が換気口に臨むように構成したことを特徴とする。
【０００８】
請求項２に記載の発明は、請求項１に記載の屋根用換気部材において、
箱型本体の止水面と底面との角部に水抜き穴を形成し、
水抜き穴の棟側の端部に内部へ突出する邪魔板を設けたことを特徴とする。
【０００９】
請求項３に記載の発明は、請求項１に記載の棟用換気部材において、
水抜き穴の近辺の底面外側に突起を設けるとともに、葺設したとき棟に沿って延びるシーラーを水抜き穴より棟側寄りに設けたことを特徴とする。
【００１０】
請求項４に記載の発明は、請求項１に記載の屋根用換気部材において、
掛止面に掛止可能な捨谷を備えたことを特徴とする。
【発明の効果】
【００１１】
請求項１に記載の発明に係る屋根用換気部材は、屋根地に固定した瓦桟の軒側端面に近接する位置に換気口を形成しておき、瓦桟に掛止面を掛止するように屋根地に設置し、釘等で屋根地に固定して使用される。屋根地に形成された換気口が第２通気口、通気通路、及び第１換気口を介して瓦と屋根地の間の空間に連通され、小屋裏の換気が可能となる。
【００１２】
請求項１に記載の発明によれば、屋根用換気部材を下屋の屋根地に取り付けるとき、掛止面を屋根地に固定されている瓦桟に掛止して位置決めできるので、勾配のある屋根地に置いても屋根用換気部材が滑り落ちない。そのため、施工作業がし易い。また、瓦桟の軒側端面に隣接するように換気口を形成しておけば、掛止面を瓦桟に掛止したとき第２通気口が喚起口に臨む。従って、屋根地に換気口を形成するとき、瓦桟の軒側端面を基準にして形成すれば良いので、換気口を屋根地に開ける作業がし易い。
【００１３】
請求項２に記載の発明によれば、箱型本体の内部に侵入した雨水は屋根の下降傾斜に沿って箱型本体の底面を伝い、水抜き穴から箱型本体の外部に排出される。この水抜き穴の棟側端部には邪魔板が立設されているので、水抜き穴から雨水が箱型本体の内部に侵入するのを邪魔板で阻止できる。
【００１４】
請求項３に記載の発明によれば、箱型本体を屋根地に固定したとき、突起によって箱型本体底面の外面と野地との間に隙間が出来るので、箱型本体内部に侵入した雨水が水抜き穴からこの隙間を通って箱型本体の外部に排出される。一方、水抜き穴より棟側にシーラーを設けたので、箱型本体の底面と野地の隙間を通って雨水が棟喚起口から小屋裏に侵入するのをシーラーで阻止できる。
【００１５】
請求項４に記載の発明によれば、家屋の外壁を伝って落ちる雨水を掛止面に掛止した捨谷で受けて瓦下への侵入を防止できる。
【００１６】
図１及び図２には本発明の実施例に係る屋根用換気部材１０が示されている。図３及び図４には当該屋根用換気部材１０を構成する第１アッパープレート１１と第２アッパープレート１２が示されている。また、図５及び図６には当該屋根用換気部材１０を構成するロアプレート１３が示されている。
【図面の簡単な説明】
【００１７】
【図１】本発明の実施例に係る屋根用換気部材と同部材を設置した屋根地を示す断面図である。
【図２】同換気部材の表面を示す斜視図である。
【図３】同換気部材を構成する第１アッパープレートと第２アッパープレートの表面を示す斜視図である。
【図４】同換気部材を構成する第１アッパープレートと第２アッパープレートの裏面を示す斜視図である。
【図５】同換気部材を構成するロアプレートの表面を示す斜視図である。
【図６】同換気部材を構成するロアプレートの裏面を示す斜視図である。
【図７】同ロアプレートの角部を示す拡大断面図である。
【図８】従来の屋根用換気部材と同部材が設置された屋根地を示す説明図である。
【実施例】
【００１８】
以下に本発明を図面に基づき説明する。図１及び図２には本発明の実施例に係る屋根用換気部材１０が示されている。図３及び図４には当該屋根用換気部材１０を構成する第１アッパープレート１１と第２アップレート１２が示されている。また、図５及び図６には当該屋根用換気部材１０を構成するロアプレート１３が示されている。
当該屋根用換気部材１０は、母屋の垂直の壁面１００と、壁面１００の途中から斜め下方に延びる下屋の屋根地１０１に形成された換気口１０２に被せるように屋根地１０１に設置して用いられる。そして、その上に最上段の瓦１１６を葺設し、瓦１１６の尻部１１６ａを屋根地１０１に固定した瓦桟１１８に掛止する。なお、符号１１９は屋根地に敷いたルーフィングである。
【００１９】
屋根用換気部材１０は、鋼板を所要形状にプレス加工して製作した第１アッパープレート１１、第２アッパープレート１２、ロアプレート１３及び捨谷プレート１４で構成され、第１アッパープレート１１とロアプレート１３を合体して箱型に形成した本体２０を備えている。箱型本体２０の上面２１を形成する第１アッパープレート１１には複数の第１通気口２２が形成され、各第１通気口２２にルーバー２３が形成されている。ルーバー２３は第１通気口２２の棟側端部から斜め下方に延びて第１通気口２２中に突出している。箱形本体２０の底面２４を形成するロアプレート１３の軒側端部は直角に折り曲げられて箱型本体２０の止水面２５を形成している。図７に拡大して示すように、箱型本体２０の止水面２５と底面２４の角部には水抜き穴２６が形成され、水抜き穴２６の棟側端部から邪魔板２７が箱型本体２０の内部へ突出している。図６に示すように、底面２４に形成された水抜き穴２６と水抜き穴２６の間には突起２８が形成され、箱型本体２０の底面２４から外側に突出している。また、水抜き穴２６の棟側にシーラー２９が貼着されている。
【００２０】
第１アッパープレート１１には棟側に向かって斜め上方に傾斜する第１傾斜面１１ａと、第１傾斜面１１ａから連続する接合面１１ｂが形成されている。一方、ロアプレート１３には第１傾斜面１１ａと平行に、棟側に向かって斜め上方に延びる第２傾斜面１３ａが形成され、第１傾斜面１１ａと第２傾斜面１３ａによって箱型本体２０の第２通気口３０が区画形成されている。箱型本体２０の内部には防虫部材１５が設けられている。防虫部材１５は蜂、蛾等の昆虫が通り貫けることができないサイズの貫通穴１５ａが多数形成されている。
【００２１】
第２アッパープレート１２の軒側の一端はリベット１７で第１アッパープレート１１の接合面１１ｂに接合され、箱型本体２０の上面２１から連続する延長面３１を形成している。この延長面３１は第２通気口３０から棟側に延長している。第２アッパープレート１２の棟側端部は直角に折り曲げられ、掛止面３２を形成している。
【００２２】
捨谷プレート１４は下端部に溝１６が形成され、溝１６の一側１６ａが第２アッパープレート１２の掛止面３２に掛止可能に形成されている。
【００２３】
実施例に係る屋根用換気部材１０の構造は以上の通りであって、予め、屋根地１０１に固定した瓦桟１１８の軒側端面に近接する位置に換気口１０２を形成しておく。そして、瓦桟１１８に箱型本体２０の掛止面３２を掛止して屋根用換気部材１０を屋根地１０１に置き、延長面３１で換気口１０２と瓦桟１１８を覆い、掛止面３２に捨谷プレート１４の溝１６の側面１６ａを掛止して捨谷プレート１４を壁面１００に立て掛ける。そして、延長面３１と瓦桟１１８を貫通して屋根地１０１に達するように釘１１７を打ち込むとともに、釘を箱型本体２０の上面２１を貫通して屋根地１０１に打ち込んで、屋根用換気部材１０を屋根地１０１に固定する。これにより、図に矢印Ａで示すように、換気口１０２が第２通気口３０、通気通路となる箱型本体２０の内部空間、及び第１換気口２２を介して瓦１１６と屋根地１０１の間の空間に連通され、小屋裏１０４の換気が可能となる。
【００２４】
本実施例によれば、屋根用換気部材１０を下屋の屋根地１０１に取り付けるとき、掛止面３２を屋根地１０１に固定されている瓦桟１１８に掛止して位置決めできるので、勾配のある屋根地１０１に置いても屋根用換気部材１０が滑り落ちない。そのため、施工作業がし易い。また、瓦桟１１８の軒側端面に隣接するように換気口１０２を形成しておけば、掛止面３２を瓦桟１１８に掛止したとき第２通気口３０が換気口１０２の上方に臨む。従って、屋根地１０１に換気口１０２を形成するとき、瓦桟１１８の軒側端面を基準にして形成すれば良いので、換気口１０２を屋根地１０１に開ける作業がし易い。
【００２５】
箱型本体２０の内部に侵入した雨水は屋根の下降傾斜に沿って箱型本体２０の底面２４を伝い、水抜き穴２６から箱型本体２０の外部に排出される。この水抜き穴２６の棟側端部には邪魔板２７が立設されているので、水抜き穴２６から雨水が箱方本体２０の内部に侵入するのを邪魔板２７で阻止できる。
【００２６】
箱型本体２０を屋根地１０１に固定したとき、突起２８によって箱型本体２０の底面２４の外面と屋根地１０１との間に隙間が出来るので、箱方本体２０の内部に侵入した雨水が水抜き穴２６からこの隙間を通って箱型本体２０の外部に排出される。一方、水抜き穴２６より棟側にシーラー２９を設けたので、箱型本体２０の底面２４と屋根地１０１の隙間を通って雨水が換気口１０２から小屋裏１０４に侵入するのをシーラー２９で阻止できる。また、家屋の外壁１００を伝って落ちる雨水を掛止面３２に掛止した捨谷プレート１４の溝１６で受けて瓦１１６の下への侵入を防止できる。
【符号の説明】
【００２７】
１０…屋根用換気部材
１１…第１アッパープレート
１２…第２アッパープレート
１３…ロアプレート
１４…捨谷プレート
２０…箱型本体
２１…上面
２２…第１通気口
２４…底面
２５…止水面
２６…水抜き穴
２７…邪魔板
２８…突起
２９…シーラー
３０…第２通気口
３１…延長面
３２…掛止面
１００…壁面
１０１…屋根地
１１６…瓦
１１８…瓦桟
【図１】
2016125192.tif 000003
【図２】
2016125192.tif 000004
【図３】
2016125192.tif 000005
【図４】
2016125192.tif 000006
【図５】
2016125192.tif 000007
【図６】
2016125192.tif 000008
【図７】
2016125192.tif 000009
【図８】
2016125192.tif 000010